(57)【特許請求の範囲】
【請求項１】
サッシ枠の戸当り部片と、該戸当り部片と障子框体の閉塞状態時に相対する、戸先框側のひれ部片のいずれか一方にサッシ枠外部側から重ね合わせる係止部片を一端に、また、他の一端に前記サッシ枠と前記戸先框との間からサッシ枠外部に突出する支持部片をそれぞれ設けた主体枠と、該主体枠の前記支持部片に設けた切欠及び／又は窓口に係合して受支させる突部片を設けた組付け部片に、前記他の一方のサッシ枠外部側に重ね合せる挟持部片を連設した閉止枠とで成り、閉止枠の前記組付け部片には、前記突部片を移動させて前記切欠及び／又は窓口のサッシ枠見付け方向の一端に接触させたとき、前記支持部片に設けた通し孔と一致する、固定ねじの螺合孔を設けた、軸回転サッシにおける障子框体の閉止具。
【発明の詳細な説明】
【技術分野】
【０００１】
内倒しサッシや突き出しサッシ等の軸回転サッシは、工場から現場への運搬中或いはそれに続く施工中にサッシ枠に回転自在に組付けた障子框体（乃至障子）が回転して所謂開放状態となって取扱いに支障を来たす場合があるが、本発明は、斯様な支障の発生を防ぐために、用いる、軸回転サッシにおける障子框体の閉止具に関するものである。
【背景技術】
【０００２】
サッシ枠側の戸当り片を嵌入させる第一凹溝と障子框体側に設けた突片を嵌入させる第二凹溝を設け、当該開き止め具を戸当り片方向に押圧して第一凹溝に戸当り片を嵌入させた後、障子框体を回転させて開き止め具に接触させ、次いで、第一凹溝から戸当り片が離脱する方向に開き止め具を移動させて第二凹溝に障子框体側の突片を嵌入させて障子（障子框体）の開き止めを期待する構造のブロック状の閉止具がある（例えば、特許文献１）。
【０００３】
【特許文献１】特開２００２−３８８０４号公報
【発明の開示】
【発明が解決しようとする課題】
【０００４】
前記従来例は、いわば、ブロック体に凹溝を設け、これにサッシ枠側および障子（障子框体）側を密嵌して（接触抵抗を期待して）該閉止具を用いた障子の開き止め状態を維持するものであるため、振動その他の外力の負荷によって該開き止め状態の維持がむずかしい場合あり、また、接触抵抗を利用するものであるから必然的に摩耗し、再使用（利用）がむずかしい。
【０００５】
本発明は斯様な従来例の欠点に着目し、該回転サッシの障子框体の開きを確実に防止することのできる閉止具を提供すべく創案したものである。
【課題を解決するための手段】
【０００６】
サッシ枠の戸当り部片と、該戸当り部片と障子框体の閉塞状態時に相対する、戸先框側のひれ部片のいずれか一方にサッシ枠外部側から重ね合わせる係止部片を一端に、また、他の一端に前記サッシ枠と前記戸先框との間からサッシ枠外部に突出する支持部片をそれぞれ設けた主体枠と、該主体枠の前記支持部片に設けた切欠及び／又は窓口に係合して受支させる突部片を設けた組付け部片に、前記他の一方のサッシ枠外部側に重ね合せる挟持部片を連設した閉止枠とで成り、閉止枠の前記組付け部片には、前記突部片を移動させて前記切欠及び／又は窓口のサッシ枠見付け方向の一端に接触させたとき、前記支持部片に設けた通し孔と一致する、固定ねじの螺合孔を設けた構成とする。
【発明の効果】
【０００７】
本発明によれば、主体枠側の係止部片と閉止枠側の挟持部片とで障子框体の戸先框を挟持する構成を採るものであるから、障子框体の回転を規制して閉止状態を確実に維持することができる。
【０００８】
また、閉止状態を得るに際し、閉止枠側の突部片を主体枠側の切欠乃至窓口に沿って移動させることにより前記主体枠に受支させ、該受支状態にして通し孔と螺合孔を利用した固定ねじによる主体枠と閉止枠の止着操作を行うことができるから、閉止操作を簡単かつ確実に行うことができる。
【実施例】
【０００９】
図面は本発明に係る軸回転サッシにおける障子框体の閉止具の一実施例を示し、図１は使用状態を示す縦断面図、図２は図１の一部欠截側面図、図３は図２の横断面図、図４は主体枠の斜視図、図５は挟持枠の斜視図、図６は各部の配置関係を示す略示正面図である。
【００１０】
実施例の閉止具Ａは、軸回転サッシのサッシ枠１側に組合わせる主体枠２と、該主体枠２に組付けて前記サッシ枠１内に収めた障子框体３の回動に伴う前記サッシ枠１からの外部への突出を規制する閉止枠４とで構成するもので、主体枠２と閉止枠４は合成樹脂を素材とするものである。
【００１１】
なお、図示の軸回転サッシは、前記サッシ枠１の下部側において前記障子框体３を回転自在に組付けた外倒しサッシを示すが、例えば、内倒しサッシや突き出しサッシ等の障子框体が軸回転するものであれば、いずれのサッシにも本発明に係る閉止具は適用できる。
【００１２】
また、実施例にあっては、閉止具Ａの主体枠２を上枠に組付け、該主体枠２に閉止枠４を組付けて障子框体３の上框を受止めるようにしているが、該上枠や上框に限らず、他の枠（例えば、縦枠）と他の框（例えば、縦框）との関係で用いても良く、実施例は上枠（他の枠に適用しても良いという意味で構成枠１ａと称す）と上框（他の框に適用しても良いという意味で構成框３ａと称す）との関係で適用しているので、説明の都合上、各部の位置関係（方向性）は外倒しサッシとしての該上枠乃至上框を基準として説明することとする。
【００１３】
因みに、軸回転サッシは、ガラスパネルの組付けを省略した障子框体とサッシ枠を単に組付けた状態で工場から出荷し、現場へと搬送するのが一般で、本件において障子と指称しないで障子框体とするのは斯様な意味合いのためであるが、ガラスパネルを組込んだ障子框体との関係でも本発明が適用できることは勿論である。
【００１４】
主体枠２は、一端に垂直方向に配した係止部片５を、他の一端側に水平方向に配した支持部片６を備え、上段部片を支持部片６とする上、中、下の段部片を備えた階段状枠体で成り、前記係止部片５と、これに相対する前記中段部片７と下段部片８の接続部片９を、下段部片８を底壁とする係合溝１０の構成材と成すと共に、前記支持部片６には、前記係合溝１０に沿う方向（サッシ枠１の見付け方向）にして互いに同幅の、方形の切欠１１と方形の窓口１１´を設け、切欠１１および方形窓口１１´の、切欠１１より離開する側の一半には、それぞれ前記係合溝１０に沿う両側にして、支持部片６の上面より一段低くした受部片１２，１２を設け、更に、切欠１１と方形窓口１１´位置より外れた、支持部片６の適所位置には螺合孔１３を設けて構成したものである。
【００１５】
前記閉止枠４は、主体枠２の前記支持部片６と同長の組付け部片１４の長手方向（サッシ枠見付け方向）に沿う一端に垂直方向にして挟持部片１５を連設し、組付け部片１４と縦部片１５との間には一対の補強部片１６，１６を並設した枠体で成り、組付け部片１４上には、前記主体枠２側の支持部片６に設けた切欠１１部と窓口１１´の受部片１２を備えた側の一半部との離開幅と一致する離開幅にして一対の突部片１７，１７を並設し、該突部片１７を切欠１１乃至窓口１１´内を移動させて前記受部片１２上に配置した（受支させた）とき、支持部片６に設けた前記螺合孔１３と一致する位置にして、通し孔１８を設けたものである。
【００１６】
突部片１７は前記切欠１１乃至窓口１１´とほぼ同幅と成した上部片１７ａを切欠１１又は方形窓口１１´の前記受部片間に介在させる脚部片１７ｂで支持させた断面ほぼＴ字形体で構成したものである。
【００１７】
しかして、構成枠１ａの戸当り部片１９を係合溝１０に係合するようにして主体枠２をサッシ枠１（構成枠１ａ）に組合わせ、この組合わせ状態を保持した状態で障子框体３を回転させてサッシ枠１内に納めると、主体枠２はサッシ枠１（の構成枠１ａ）と障子框体３（の構成框３ａ）間に介在され、かつ、主体枠２の係止部片５は戸当り部片１９に該戸当り部片１９（サッシ枠１）の外部側に重なり合い、支持部片６は構成枠１ａと構成框３ａ間を通じてサッシ枠１外部に突出する。
【００１８】
そして、支持部片６に設けた切欠１１と窓口１１´に合わせるようにして、閉止枠４側の突部片１７を配し、切欠１１乃至該突部片１７を窓口１１´内を移動させて切欠１１乃至窓口１１´のサッシ枠見付け方向の一端に接触させると、閉止枠４は受部片１２で受支されると共に、該接触状態乃至受支状態で互いに一致する位置関係にして支持部片６又は組付け部片１４に設けた螺合孔１３と通し孔１８は互いに一致し、通し孔１８に螺合した固定ねじ２０を螺合孔１３に螺合することにより閉止枠４は主体枠２に固定され、この固定状態により、障子框体３の構成框３ａ（戸先框）は、係止部片５によって戸当り部片１９に一端を係止した主体枠２の他の一端側に取付けた閉止枠４の挟持部片１５に係止し、障子框体３は回転を規制され、閉止状態が維持される。
【００１９】
なお、実施例では支持部片６に切欠１１と窓口１１´を設けてあるが、その一方だけでも不都合はないし、単一でも差支えはない。
【００２０】
また、実施例とは逆に、戸当り部片１９の外部に挟持部片１５と、構成框３ａ（戸先框）の外部に係止部片５をそれぞれ重ね合わせるようにしても良いことは勿論である。
【図面の簡単な説明】
【００２１】
【図１】使用状態を示す縦断面図。
【図２】図１の一部欠截側面図。
【図３】図２の横断面図。
【図４】主体枠の斜視図。
【図５】挟持枠の斜視図。
【図６】各部の配置関係を示す略示正面図。
【符号の説明】
【００２２】
１      サッシ枠
２      主体枠
３      障子框体
４      閉止枠
５      係止部片
６      支持部片
１１    切欠
１１´  窓口
１３    螺合孔
１４    組付け部片
１５    挟持部片
１７    突部片
１８    通し孔
２０    固定ねじ
【図１】
0004541982.tif 000002
【図２】
0004541982.tif 000003
【図３】
0004541982.tif 000004
【図４】
0004541982.tif 000005
【図５】
0004541982.tif 000006
【図６】
0004541982.tif 000007